(57)【要約】【課題】デュアルカメラにおけるレンズ駆動装置の振れ補正機能の機能が低下すること。【解決手段】本発明のレンズ駆動装置は、２つのレンズ駆動装置を隣接して備え、レンズ駆動装置は、それぞれ、レンズを光軸方向に沿って可動させる第１の駆動機構と、レンズを光軸方向に対して垂直方向に可動させる第２の駆動機構と、を備え、当該第２の駆動機構は、相互に直交する２つの直線方向にそれぞれ可動する２つのボイスコイルモータを備えている。さらに、レンズ駆動装置は、それぞれ外形が略矩形に形成されており、第２の駆動機構を構成する２つのボイスコイルモータは、略矩形であるレンズ駆動装置の外周を形成する４つの辺のうち、相互に隣り合う２辺付近にそれぞれ配置されており、２つのレンズ駆動装置は、他のレンズ駆動装置が隣接して位置する辺に、少なくとも１つの前記ボイスコイルモータが位置しないよう、配置されている。【選択図】図１
2019113637.tif 000002
【特許請求の範囲】
【請求項１】
２つのレンズ駆動装置を隣接して備えたカメラモジュールであって、
前記レンズ駆動装置は、それぞれ、レンズを光軸方向に沿って可動させる第１の駆動機構と、前記レンズを光軸方向に対して垂直方向に可動させる第２の駆動機構と、を備え、
前記第２の駆動機構は、前記レンズを当該レンズの光軸方向に対する垂直面上において相互に直交する２つの直線方向にそれぞれ可動する２つのボイスコイルモータを備えており、
さらに、前記レンズ駆動装置は、それぞれ外形が略矩形に形成されており、
前記第２の駆動機構を構成する２つのボイスコイルモータは、略矩形である前記レンズ駆動装置の外周を形成する４つの辺のうち、相互に隣り合う２辺付近にそれぞれ配置されており、
２つの前記レンズ駆動装置は、当該レンズ駆動装置同士が隣接して位置する辺に、少なくとも１つの前記ボイスコイルモータが位置しないよう、配置されている、
カメラモジュール。
【請求項２】
請求項１に記載のカメラモジュールであって、
２つの前記レンズ駆動装置は、当該レンズ駆動装置同士が隣接して位置する辺に、２つの前記ボイスコイルモータが位置しないよう、配置されている、
カメラモジュール。
【請求項３】
請求項２に記載のカメラモジュールであって、
２つの前記レンズ駆動装置は、当該レンズ駆動装置同士が隣接して位置する辺を対称線とした線対称に前記ボイスコイルモータが位置するよう配置されている、
カメラモジュール。
【請求項４】
請求項２に記載のカメラモジュールであって、
２つの前記レンズ駆動装置は、当該レンズ駆動装置同士が隣接して位置する辺の中央付近を対称点とした点対称に前記ボイスコイルモータが位置するよう配置されている、
カメラモジュール。
【請求項５】
請求項１乃至４のいずれかに記載のカメラモジュールを備えた情報処理端末。
【発明の詳細な説明】
【技術分野】
【０００１】
本発明は、カメラモジュールに関する。
【背景技術】
【０００２】
近年のスマートフォンやタブレット端末などの情報処理端末は、画像撮影用に小型のカメラモジュールを搭載している。このようなカメラモジュールは、被写体を撮影するときのピント合わせを自動的に行うオートフォーカス機能と、撮影時に生じる手振れを光学的に補正して画像の乱れを軽減する振れ補正機能と、を有するレンズ駆動装置を備えている。
【０００３】
レンズ駆動装置のオートフォーカス機能は、例えば、特許文献１に示すように、マグネットとコイルとによるボイスコイルモータによって実現される。このボイスコイルモータの駆動力を用いて、レンズを光軸方向に沿って往復可動している。これに伴い、レンズ駆動装置は、オートフォーカス機能によるレンズの光軸方向に沿った往復可動を、周囲に配置されたガイドボールによって支持している。
【０００４】
また、レンズ駆動装置の振れ補正機能は、例えば、レンズバレルを収容したハウジングに搭載されたマグネットと、ボトムカバーに配置されたコイルと、により構成されている。かかる構成でコイルに電流を流すことによって、レンズバレルを収容したハウジングを、レンズの光軸方向に対する垂直面上の所定の一方向に沿って可動させる駆動力が生じる。このようなマグネットとコイルとによるボイスコイルモータを２組備えることで、ハウジングを、レンズの光軸方向に対する垂直面上において相互に直交する２直線方向（Ｘ軸方向とＹ軸方向）にそれぞれ往復駆動することができる。
【０００５】
ここで、近年では、同一方向を撮影する２つのカメラ、つまり、デュアルカメラを搭載した情報処理端末が登場している。同一方向を２つのカメラで撮影することで、様々な撮影画像情報を取得することができ、撮影機能の向上を図ることができる。
【先行技術文献】
【特許文献】
【０００６】
【特許文献１】特開２０１５−１８０９３７号公報
【発明の概要】
【発明が解決しようとする課題】
【０００７】
上述したように、情報処理端末にデュアルカメラを搭載する場合には、各カメラモジュール同士を近接して設ける必要がある。すると、各カメラモジュールに搭載されている振れ補正機能を構成するマグネット同士が近接する場合があり、磁気干渉が生じうる。かかる磁気干渉によって、振れ補正機能の異常や精度の低下、という問題が生じうる。
【０００８】
このため、本発明の目的は、上述した課題である、デュアルカメラにおけるレンズ駆動装置の振れ補正機能の低下、という問題を解決することにある。
【課題を解決するための手段】
【０００９】
本発明の一形態であるカメラモジュールは、
２つのレンズ駆動装置を隣接して備えたカメラモジュールであって、
前記レンズ駆動装置は、それぞれ、レンズを光軸方向に沿って可動させる第１の駆動機構と、前記レンズを光軸方向に対して垂直方向に可動させる第２の駆動機構と、を備え、
前記第２の駆動機構は、前記レンズを当該レンズの光軸方向に対する垂直面上において相互に直交する２つの直線方向にそれぞれ可動する２つのボイスコイルモータを備えており、
さらに、前記レンズ駆動装置は、それぞれ外形が略矩形に形成されており、
前記第２の駆動機構を構成する２つのボイスコイルモータは、略矩形である前記レンズ駆動装置の外周を形成する４つの辺のうち、相互に隣り合う２辺付近にそれぞれ配置されており、
２つの前記レンズ駆動装置は、当該レンズ駆動装置同士が隣接して位置する辺に、少なくとも１つの前記ボイスコイルモータが位置しないよう、配置されている、
という構成をとる。
【００１０】
また、上記カメラモジュールでは、
２つの前記レンズ駆動装置は、当該レンズ駆動装置同士が隣接して位置する辺に、２つの前記ボイスコイルモータが位置しないよう、配置されている、
という構成をとる。
【００１１】
また、上記カメラモジュールでは、
２つの前記レンズ駆動装置は、当該レンズ駆動装置同士が隣接して位置する辺を対称線とした線対称に前記ボイスコイルモータが位置するよう配置されている、
という構成をとる。
【００１２】
また、上記カメラモジュールでは、
２つの前記レンズ駆動装置は、当該レンズ駆動装置同士が隣接して位置する辺の中央付近を対称点とした点対称に前記ボイスコイルモータが位置するよう配置されている、
という構成をとる。
【００１３】
また、本発明では、上記カメラモジュールを備えた情報処理端末も提供している。
【発明の効果】
【００１４】
本発明のカメラモジュールによると、デュアルカメラを構成する各レンズ駆動装置の振れ補正機能を実現させるためのボイスコイルモータが相互に隣接して配置されることがないため、磁気干渉を抑制できる。その結果、レンズ駆動装置の振れ補正機能の低下を抑制することができる。
【図面の簡単な説明】
【００１５】
【図１】本発明の第１の実施形態におけるカメラモジュールの構成を示す図である。
【図２】図１に開示したカメラモジュールを構成するレンズ駆動装置の構成及び動作を示す図である。
【図３】図１に開示したカメラモジュールにおける各レンズ駆動装置の配置の一例を示す図である。
【図４】図１に開示したカメラモジュールにおける各レンズ駆動装置の配置の一例を示す図である。
【図５】図１に開示したカメラモジュールにおける各レンズ駆動装置の配置の一例を示す図である。
【図６】本発明の第２の実施形態におけるカメラモジュールの構成を示す図である。
【図７】図６に開示したカメラモジュールを構成するレンズ駆動装置の構成及び動作を示す図である。
【発明を実施するための形態】
【００１６】
＜実施形態１＞
本発明の第１の実施形態を、図１乃至図５を参照して説明する。図１乃至図２は、カメラモジュールの構成を示す図である。図３乃至図５は、カメラモジュールを構成するレンズ駆動装置の配置を示す図である。
【００１７】
本発明におけるカメラモジュールは、例えば、スマートフォンやタブレット端末などの情報処理端末に搭載される画像撮影用のものである。但し、本発明におけるカメラモジュールは、必ずしも情報処理端末に搭載されることに限定されず、他の電子機器や様々な機器に搭載されてもよい。
【００１８】
図１を参照して、カメラモジュールの構成を説明する。図１は、カメラモジュールの構成を簡略化した平面図である。なお、本願の図面では、構造が明確となるよう、一部の構成を省略している。
【００１９】
本発明におけるカメラモジュールは、２つのカメラを備えて構成されたデュアルカメラである。このため、カメラモジュールは、２つのレンズ駆動装置１Ａ，１Ｂを備えている。そして、レンズ駆動装置１Ａ，１Ｂは、図１に示すように、相互に隣接して配置されている。具体的に、各レンズ駆動装置１Ａ，１Ｂは、それぞれ外形が略正方形に形成されており、外周を形成する４辺のうち１辺が相互に平行に隣接して配置される。なお、各レンズ駆動装置１Ａ，１Ｂの外形は、正方形であることに限定されず、長方形であってもよく、略矩形に形成されている。
【００２０】
本実施形態では、各レンズ駆動装置１Ａ，１Ｂは同一ものである。そして、各レンズ駆動装置１Ａ，１Ｂは、それぞれ、被写体を撮影するときのピント合わせを自動的に行うオートフォーカス機能と、撮影時に生じる手振れを光学的に補正して画像の乱れを軽減する振れ補正機能と、を有する。以下、主に、オートフォーカス機能と振れ補正機能とを実現するレンズ駆動装置の構成を説明するが、レンズ駆動装置は、本実施形態において例示する機能以外の機能を有していてもよい。なお、各レンズ駆動装置１Ａ，１Ｂは、振れ補正機能を実現するための構成であるマグネットの配置が以下に説明する配置であれば、それぞれが異なる構成であってもよい。
【００２１】
カメラモジュールを構成するレンズ駆動装置１Ａは、上部を覆うカバー（図示せず）と、下部を覆うボトムカバー（図示せず）と、を備えている。なお、図１においては、カバーやボトムカバーを省略して図示している。そして、レンズ駆動装置１Ａは、カバー及びボトムカバーの内部に、レンズ（図示せず）を装備するレンズバレル２１と、レンズバレル２１の周囲を囲って当該レンズバレル２１を収容するハウジング２２と、を備えている。加えて、レンズ駆動装置１Ａは、ハウジング２２に対してレンズバレルをレンズの光軸方向に沿って可動させる第１の駆動機構（３１，３２，３３）と、ボトムカバーに対してハウジング２２をレンズの光軸方向に対する垂直方向に可動させる第２の駆動機構（５１，５２）と、を備えている。以下、各構成について詳述する。
【００２２】
上記レンズバレル２１は、外形が略矩形形状に形成されている。レンズバレル２１の中心には、レンズを収容するレンズ収容孔が形成されている。また、ハウジング２２は、例えば４つの側壁で形成され、端面が略矩形の筒状体の部材であり、内部にレンズバレル２１を収容する。
【００２３】
上記第１の駆動機構（３１，３２，３３）は、レンズバレル２１をレンズの光軸方向に沿って、つまり、図１の紙面に垂直方向に沿って可動させるものであり、オートフォーカス機能を実現する構成である。具体的に、本実施形態における第１の駆動機構（３１，３２，３３）は、ＳＩＤＭ（Smooth Impact Drive Mechanism）方式でレンズバレル２１を駆動するものであり、圧電アクチュエータとしてのドライブシャフト３１と、バネ機構３２と、ガイド機構３３と、を備えている。
【００２４】
上記ドライブシャフト３１は、ハウジング２２に装備され、レンズバレル２１の厚さ方向つまりレンズの光軸方向に沿って延びる円柱形状の軸部材である。ドライブシャフト３１は、その側面が、略矩形のレンズバレル２１の隣り合う２辺で挟まれる角位置に形成された凹部に当接するよう配置されている。そして、ドライブシャフト３１は、図示しない圧電素子によって長さ方向に伸縮するよう構成されている。
【００２５】
また、上記バネ機構３２は、ハウジング２２又はボトムカバー（図示せず）に装備され、ドライブシャフト３１をレンズバレル２１の角位置に形成された凹部に押し付けるものである。これにより、ドライブシャフト３１とレンズバレル２１とが摩擦係合し、ドライブシャフト３１の伸縮に伴いレンズバレル２１を光軸方向に可動することができる。
【００２６】
また、上記ガイド機構３３は、レンズバレル２１のドライブシャフト３１が当接する角位置とは、当該レンズバレル２１を挟んで反対側の角位置に設けられている。ガイド機構３３は、レンズバレル２１から突出した突出部と、当該突出部を収容するハウジング２２に形成された収容凹部と、により構成されている。収容凹部は、光軸方向に沿った溝形状に形成されている。このため、上述したようにドライブシャフト３１によってレンズバレル２１の光軸方向に沿って可動する際に、当該レンズバレル２１の突出部が収容凹部によってガイドされる。
【００２７】
上記第２の駆動機構（５１，５２）は、レンズバレル２１をレンズの光軸方向に対して垂直方向に可動させるものであり、振れ補正機能を実現する構成である。具体的に、第２の駆動機構（５１，５２）は、２つのボイスコイルモータ５１，５２によって構成されており、レンズバレル２１を収容するハウジング２２自体を、ボトムカバーに対して可動する。このとき、２つのボイスコイルモータ５１，５２は、図１に示すように、略矩形であるレンズ駆動装置１Ａの外周を形成する４つの辺のうち、相互に隣り合う２辺付近にそれぞれ配置されている。つまり、２つのボイスコイルモータ５１，５２は、相互に直交する２辺に沿って、それぞれ各辺付近に配置されている。
【００２８】
そして、一方のボイスコイルモータ５１は、図１における上側に位置する辺付近に設けられており、上下方向にハウジング２２を可動する。また、他方のボイスコイルモータ５２は、図１における右側に位置する辺付近に設けられており、左右方向にハウジング２２を可動する。このように、２つのボイスコイルモータ５１，５２は、レンズを光軸方向に対する垂直面上において、相互に直交する２つの直線方向にそれぞれ可動する。
【００２９】
具体的に、一方のボイスコイルモータは、ハウジング２２の下面に配置されたマグネット５１と、当該マグネット５１に対応してボトムカバーに設置されたコイル（図示せず）と、により構成されている。同様に、他方のボイスコイルモータは、図２に示すように、ハウジング２２の下面に配置されたマグネット５２と、当該マグネット５２に対応してボトムカバーに設置されたコイル５２ｂと、により構成されている。そして、図１に示す符号５１のマグネットで構成される一方のボイスコイルモータは、当該マグネット５１に対応するコイルに電流を流すことで、レンズの光軸方向に対する垂直面上における一の直線方向（Ｙ軸方向）に沿った可動を行う。また、符号５２のマグネットで構成される他方のボイスコイルモータは、当該マグネット５２に対応するコイル５２ｂに電流を流すことで、レンズの光軸方向に対する垂直面上における上記一の直線方向に直交する他の直線方向（Ｘ軸方向）に沿った可動を行う。具体的には、コイル５２ｂに電流を流すと、かかる電流の向きと、マグネット５２からコイル５２ｂを通過する磁束と、により、フレミングの左手の法則に従って、レンズバレルはレンズの光軸方向に対する垂直方向（Ｚ軸方向）に沿って往復駆動される。
【００３０】
そして、図１に示すように、カメラモジュールを構成する２つ目のレンズ駆動装置１Ｂは、上述した１つ目のレンズ駆動装置Ａと同一の構成をとっている。
【００３１】
さらに、本実施形態では、デュアルカメラを構成する上述した２つのレンズ駆動装置１Ａ，１Ｂは、図３や図４のように配置されている。まず、図３（ａ），（ｂ）に示すように、レンズ駆動装置１Ａ，１Ｂ同士が隣接して位置する辺に、２つのボイスコイルモータを構成する各マグネット５１，５２が位置しないよう配置されている。
【００３２】
具体的に、図３（ａ）の例では、左側に位置する一方のレンズ駆動装置１Ａは、外周の左辺付近と上辺付近にマグネット５１，５２が位置するよう配置され、右側に位置する他方のレンズ駆動装置１Ｂは、右辺付近と下辺付近にマグネット５１，５２が位置するよう配置される。このように、各レンズ駆動装置１Ａ，１Ｂの振れ補正機能を構成するマグネット５１，５２が、当該レンズ駆動装置１Ａ，１Ｂ同士が隣接して位置する辺の中央付近を対称点とした点対称に位置するよう配置される。これにより、レンズ駆動装置１Ａ，１Ｂ同士が隣接する位置に２つのマグネット５１，５２が位置しないため、磁気干渉を抑制することができる。
【００３３】
また、図３（ｂ）の例では、左側に位置する一方のレンズ駆動装置１Ａは、外周の左辺付近と上辺付近にマグネット５１，５２が位置するよう配置され、右側に位置する他方のレンズ駆動装置１Ｂは、上辺付近と右辺付近にマグネット５１，５２が位置するよう配置される。このように、各レンズ駆動装置１Ａ，１Ｂの振れ補正機能を構成するマグネット５１，５２が、当該レンズ駆動装置１Ａ，１Ｂ同士が隣接して位置する辺を対称軸とした線対称に位置するよう配置される。これにより、レンズ駆動装置１Ａ，１Ｂ同士が隣接する位置に２つのマグネット５１，５２が位置しないため、磁気干渉を抑制することができる。
【００３４】
また、本実施形態では、デュアルカメラを構成する上述した２つのレンズ駆動装置１Ａ，１Ｂは、図４（ａ），（ｂ）に示すように、レンズ駆動装置１Ａ，１Ｂ同士が隣接して位置する辺に、２つのボイスコイルモータを構成する各マグネット５１，５２のいずれか一方が位置しないよう配置されていてもよい。
【００３５】
具体的に、図４（ａ）の例では、左側に位置する一方のレンズ駆動装置１Ａは、外周の左辺付近と上辺付近にマグネット５１，５２が位置するよう配置され、右側に位置する他方のレンズ駆動装置１Ｂは、下辺付近と左辺付近にマグネット５１，５２が位置するよう配置されている。このように、１つのレンズ駆動装置１Ｂのマグネット５２が各レンズ駆動装置１Ａ，１Ｂ間に位置していたとしても、磁気干渉を抑制することができる。
【００３６】
また、図４（ｂ）の例では、左側に位置する一方のレンズ駆動装置１Ａは、外周の左辺付近と上辺付近にマグネット５１，５２が位置するよう配置され、右側に位置する他方のレンズ駆動装置１Ｂは、左辺付近と上辺付近にマグネット５１，５２が位置するよう配置されている。このように、１つのレンズ駆動装置１Ｂのマグネット５２が各レンズ駆動装置１Ａ，１Ｂ間に位置していたとしても、磁気干渉を抑制することができる。
【００３７】
なお、図５（ａ），（ｂ）の例は、上述した図３，４の本発明の構成との比較例である。図５（ａ），（ｂ）に示すように、各レンズ駆動装置１Ａ，１Ｂの振れ補正機能を構成するマグネット５１，５２が、当該レンズ駆動装置１Ａ，１Ｂ同士が隣接して位置する辺に位置する場合には、これらマグネット５１，５２により磁気干渉を生じうる。このため、上述した図３，４の配置が望ましい。
【００３８】
以上のように、図３、図４に示す本発明のカメラモジュールによると、デュアルカメラを構成する各レンズ駆動装置の振れ補正機能を実現させるためのボイスコイルモータが相互に隣接して配置されることがないため、磁気干渉を抑制できる。その結果、レンズ駆動装置の振れ補正機能の低下を抑制することができる。
【００３９】
＜実施形態２＞
次に、本発明の第２の実施形態を、図６乃至図７を参照して説明する。本実施形態におけるレンズ駆動装置１Ａ，１Ｂは、オートフォーカス機能を実現する上記第１の駆動機構の構成が、上述した実施形態１とは異なる。一方で、振れ補正機能を実現する上記第２の駆動機構の構成は、上述した実施形態１と同一である。以下、異なる構成について詳述する。
【００４０】
本発明の第２の実施形態におけるレンズ駆動装置１Ａは、上述した第２の駆動機構とは異なるオートフォーカス用ボイスコイルモータを用いて、光軸方向に沿ってレンズバレル２１を駆動するものである。具体的に、第１の駆動機構（４１〜４５）は、対となるガイドボール４１，４２と、２つのオートフォーカス用ボイスコイルモータ４３〜４５と、を備える。
【００４１】
上記一方のガイドボール４１は、略矩形のレンズバレル２１の隣り合う２辺で挟まれる角位置に形成された凹部と、ハウジング２２に形成された凹状の第１のガイドボール保持部と、に挟まれて配置されている。また、他方のガイドボール４２は、一方のガイドボール４１が配置されている角位置に対して、レンズバレル２１を挟んで反対側の対角線上に位置する当該レンズバレルの別の角位置に形成された第２の凹部と、当該角位置に対向するハウジング２２の角位置に設けられた第２のガイドボール保持部と、により挟まれて配置されている。これにより、レンズバレル２１がハウジング２２に対して光軸方向に沿って可動した際に、これらの間に介挿されているガイドボール４１，４２が転がることにより、かかるレンズバレル２１がスムーズに可動することとなる。
【００４２】
上記２つのオートフォーカス用ボイスコイルモータ４３〜４５は、略矩形であるレンズ駆動装置１Ａの外周を形成する４つの辺のうち、相互に隣り合う２辺付近にそれぞれ配置されている。つまり、２つのオートフォーカス用ボイスコイルモータ４３〜４５は、相互に直交する２辺付近にそれぞれ配置されている。なお、レンズ駆動装置１Ａの外周を形成する残りの相互に直交する２辺付近には、実施形態１で説明したレンズの光軸方向に対して垂直方向に駆動する振れ補正機能を実現する、第２の駆動機構としてのボイスコイルモータ５１，５２が配置されている。
【００４３】
そして、図６の例では、一方のオートフォーカス用ボイスコイルモータ４３ａ，４４ａ，４５ａは、レンズ駆動装置１Ａの左側の側面付近に配置されている。具体的に、一方のオートフォーカス用ボイスコイルモータ４３ａ，４４ａ，４５ａは、レンズバレル２１の側面に配置されたマグネット４３ａと、当該マグネット４３ａに対向するハウジング２２の側面に配置されたコイル４４ａ及びヨーク４５ａと、を備えている。また、他方のオートフォーカス用ボイスコイルモータ４３ｂ，４４ｂ，４５ｂは、レンズ駆動装置１Ａの下側の側面付近に配置されている。具体的に、他方のオートフォーカス用ボイスコイルモータ４３ｂ，４４ｂ，４５ｂは、レンズバレル２１の側面に配置されたマグネット４３ｂと、当該マグネット４３ｂに対向するハウジング２２の側面に配置されたコイル４４ｂ及びヨーク４５ｂと、を備えている。
【００４４】
上記一方のボイスコイルモータ４３ａ，４４ａ，４５ａは、図７に示すように、レンズバレル２１側の上下にＮ極とＳ極が着磁されているマグネット４３ａから出る磁束が、ヨーク４５ａに集中される。そして、コイル４４ａに電流を流すことによって、レンズバレル２１をレンズの光軸方向に沿って可動させる駆動力が生じる。具体的には、コイル４４ａに電流を流すと、かかる電流の向きと、マグネット４３ａからコイル４４ａを通過する磁束と、により、フレミングの左手の法則に従って、レンズバレルはレンズの光軸方向（Ｚ軸方向）に沿って往復駆動される。同様に、他方のボイスコイルモータ４３ｂ，４４ｂ，４５ｂも、コイル４４ｂに電流を流すと、かかる電流の向きと、マグネット４３ｂからコイル４４ｂを通過する磁束と、により、フレミングの左手の法則に従って、レンズバレルはレンズの光軸方向（Ｚ軸方向）に沿って往復駆動される。
【００４５】
このとき、各オートフォーカス用ボイスコイルモータの各マグネット４３ａ，４３ｂは、それぞれヨーク４５ａ，４５ｂに引き寄せられる。このため、レンズバレル２１は、左側面方向と下側面方向とにそれぞれ引き寄せられるため、その合力により、レンズバレル２１が一方のガイドボール４１に押し付けられた状態となる。また、その対角線上における反対側で、レンズバレル２１は他方のガイドボール４２によって支持されている。なお、他方のボイスコイルモータを構成するヨーク４５ｂの形状を、一方のボイスコイルモータを構成するヨーク４５ａの形状よりも大きく形成することで、他方のボイスコイルモータのマグネット４４ｂが引き寄せられる力が、一方のボイスコイルモータよりも大きくなり、レンズバレル２１に時計回りの回転力を付勢できる。これにより、レンズバレル２１を他方のガイドボール４２に押し付けることができる。
【００４６】
これにより、レンズバレル２１は、対となるガイドボール４１，４２を介してハウジング２２に接触した状態が維持される。すると、ハウジング２２内における光軸に対する垂直方向への移動が規制され、レンズバレル２１の姿勢が安定する。その結果、光軸がぶれずに安定したオートフォーカス動作を実現することができる。
【００４７】
また、本実施形態におけるレンズ駆動装置１Ａは、上記オートフォーカス用ボイスコイルモータ４３〜４５が設けられている外周上における２辺とは異なる別の２辺に、上述した実施形態１と同様の第２の駆動機構を構成するボイスコイルモータ５１，５２を備えている。
【００４８】
そして、図６に示すように、カメラモジュールを構成する２つ目のレンズ駆動装置１Ｂは、上述した１つ目のレンズ駆動装置Ａと同一の構成をとっている。
【００４９】
本実施形態においても、デュアルカメラを構成する上述した２つのレンズ駆動装置１Ａ，１Ｂは、実施形態１と同様に、図３，４のように配置されている。つまり、レンズ駆動装置１Ａ，１Ｂ同士が隣接して位置する辺に、第２の駆動機構を構成する２つのボイスコイルモータを構成する各マグネット５１，５２の少なくとも一方が位置しないよう配置されている。
【００５０】
このとき、レンズ駆動装置１Ａ，１Ｂ同士が隣接して位置する辺には、少なくとも一方の第１の駆動機構を構成するオートフォーカス用ボイスコイルモータのマグネット４３ａ，４３ｂの少なくとも一方が位置することとなる。例えば、図３の例では、２つのオーフォフォーカス用ボイスコイルモータのマグネット４３ａ，４３ｂが隣接して位置することとなり、図４の例では、１つのオーフォフォーカス用ボイスコイルモータのマグネット（４３ａ又は４３ｂ）と、第２の駆動機構を構成する１つのボイスコイルモータのマグネット（５１又は５２）と、が隣接することとなる。しかしながら、第１の駆動機構を構成するオートフォーカス用ボイスコイルモータは、マグネット４３ａ，４３ｂの外側にヨーク４５ａ，４５ｂを備えている。このため、上述したように相互に隣接するマグネット同士の磁気干渉を抑制することができる。
【００５１】
以上のように、本実施形態におけるカメラモジュールによると、デュアルカメラを構成する各レンズ駆動装置を構成するマグネットの磁気干渉を抑制できる。その結果、レンズ駆動装置の振れ補正機能の低下を抑制することができる。
【００５２】
以上、上記実施形態等を参照して本願発明を説明したが、本願発明は、上述した実施形態に限定されるものではない。本願発明の構成や詳細には、本願発明の範囲内で当業者が理解しうる様々な変更をすることができる。
【符号の説明】
【００５３】
１Ａ，１Ｂ  レンズ駆動装置
２１  レンズバレル
２２  ハウジング
３１  ドライブシャフト
３２  バネ機構
３３  ガイド機構
４１，４２  ガイドボール
４３ａ，４３ｂ  第１の駆動機構を構成するマグネット
４４ａ，４４ｂ  第１の駆動機構を構成するコイル
４５ａ，４５ｂ  第１の駆動機構を構成するヨーク
５１，５２  第２の駆動機構を構成するマグネット
【図１】
2019113637.tif 000003
【図２】
2019113637.tif 000004
【図３】
2019113637.tif 000005
【図４】
2019113637.tif 000006
【図５】
2019113637.tif 000007
【図６】
2019113637.tif 000008
【図７】
2019113637.tif 000009